(57)【要約】【課題】  印刷中に電子機器の電池残量がなくなり、印刷処理が継続できなくなることを防止し、電池残量が少ない場合には電池の充電を優先させ、電池が所定量充電された場合には印刷処理の実行を可能にする。【解決手段】  電子機器（１００）は、外部機器が印刷装置である場合であってユーザが画像の印刷を指示した場合に、電池の残量が第１の所定値以下であれば、印刷予約ファイルをメモリに記憶させると共に、電池への充電が開始された後に省電力制御を行い、電池の残量が第２の所定値より大きくなった場合には、省電力制御を解除すると共に、メモリが記憶する印刷予約ファイルに基づいて外部機器を制御する。【選択図】  図１
2018196224.tif 000002
【特許請求の範囲】
【請求項１】
外部機器から電力を受電する受電手段と、
前記外部機器と通信を行う通信手段と、
前記受電手段から得られた電力を用いて電池の充電を行う充電手段と、
前記電池の残量を検出する残量検出手段と、
画像の印刷予約をするための印刷予約ファイルを生成する生成手段と、
前記印刷予約ファイルを記憶するメモリと、
前記外部機器が印刷装置である場合であってユーザが画像の印刷を指示した場合に、前記電池の残量が第１の所定値以下であれば、前記印刷予約ファイルを前記メモリに記憶させると共に、前記電池への充電が開始された後に省電力制御を行い、前記電池の残量が第２の所定値より大きくなった場合には、前記省電力制御を解除すると共に、前記メモリが記憶する前記印刷予約ファイルに基づいて前記外部機器を制御する制御手段と
を有することを特徴とする電子機器。
【請求項２】
前記第１の所定値および前記第２の所定値は、ユーザが指定した印刷枚数に応じて変更されることを特徴とする請求項１に記載の電子機器。
【請求項３】
前記第２の所定値は、前記電池が満充電状態である場合の電池残量であることを特徴とする請求項１または２に記載の電子機器。
【請求項４】
印刷予約された画像の印刷に必要な電力が前記外部機器から得られる場合には、前記電池の残量にかかわらず、印刷装置である前記外部機器に画像の印刷を行わせることを特徴とする請求項１から３のいずれか１項に記載の電子機器。
【請求項５】
前記省電力制御は、ユーザ設定に基づき、実行するか否かが決定されることを特徴とする請求項１から４のいずれか１項に記載の電子機器。
【請求項６】
前記印刷予約ファイルに基づく画像の印刷は、ユーザ設定に基づき、実行するか否かが決定されることを特徴とする請求項１から５のいずれか１項に記載の電子機器。
【請求項７】
外部機器から電力を受電する受電手段と、
前記外部機器と通信を行う通信手段と、
前記受電手段から得られた電力を用いて電池の充電を行う充電手段と、
前記電池の残量を検出する残量検出手段と、
画像の印刷予約をするための印刷予約ファイルを生成する生成手段と、
前記印刷予約ファイルを記憶するメモリとを有する電子機器の制御方法であって、
前記外部機器が印刷装置である場合であってユーザが画像の印刷を指示した場合に、前記電池の残量が第１の所定値以下であれば、前記印刷予約ファイルを前記メモリに記憶させると共に、前記電池への充電が開始された後に省電力制御を行い、
前記電池の残量が第２の所定値より大きくなった場合には、前記省電力制御を解除すると共に、前記メモリが記憶する前記印刷予約ファイルに基づいて前記外部機器を制御することを特徴とする制御方法。
【請求項８】
コンピュータを、
外部機器から電力を受電する受電手段と、
前記外部機器と通信を行う通信手段と、
前記受電手段から得られた電力を用いて電池の充電を行う充電手段と、
前記電池の残量を検出する残量検出手段と、
画像の印刷予約をするための印刷予約ファイルを生成する生成手段と、
前記印刷予約ファイルを記憶するメモリと、
前記外部機器が印刷装置である場合であってユーザが画像の印刷を指示した場合に、前記電池の残量が第１の所定値以下であれば、前記印刷予約ファイルを前記メモリに記憶させると共に、前記電池への充電が開始された後に省電力制御を行い、前記電池の残量が第２の所定値より大きくなった場合には、前記省電力制御を解除すると共に、前記メモリが記憶する前記印刷予約ファイルに基づいて前記外部機器を制御する制御手段として機能させるためのプログラム。
【発明の詳細な説明】
【技術分野】
【０００１】
本発明は、電池を電源とする電子機器、その制御方法およびそれらに関するプログラムに関するものである。
【背景技術】
【０００２】
リチウムイオン電池などの電池を電源とする電子機器として、デジタルカメラまたは携帯電話が知られている。このような電子機器は、ＵＳＢ（Ｕｎｉｖｅｒｓａｌ  Ｓｅｒｉａｌ  Ｂｕｓ）ケーブル経由で受電した電力で、電子機器に接続された電池の充電を行うことができる。また、このような電子機器は、ＵＳＢケーブル経由で画像をプリンタに送信し、その画像をプリンタに印刷させることもできる。
【０００３】
上述のように、電池で駆動する電子機器においては、電子機器の使用中に電池残量が減り、電子機器の駆動を継続できなくなる可能性がある。これに対し、特許文献１には、プリンタに接続された複数の携帯機器のうち、電池残量の少ない携帯機器からのデータ受信を優先する方法が記載されている。
【先行技術文献】
【特許文献】
【０００４】
【特許文献１】特開２０１４−３７０９４号公報
【発明の概要】
【発明が解決しようとする課題】
【０００５】
しかしながら、特許文献１に記載された方法では、印刷処理中に電子機器の電池残量がなくなってしまうことを防止できない。
【０００６】
そこで、本発明は、印刷中に電子機器の電池残量がなくなり、印刷処理が継続できなくなることを防止できるようにすることを目的とする。さらに本発明は、電池残量が少ない場合には電池の充電を優先させ、電池が所定量充電された場合には印刷処理の実行を可能にすることを目的とする。
【課題を解決するための手段】
【０００７】
本発明に係る電子機器は、上記目的を達成するために、外部機器から電力を受電する受電手段と、前記外部機器と通信を行う通信手段と、前記受電手段から得られた電力を用いて電池の充電を行う充電手段と、前記電池の残量を検出する残量検出手段と、画像の印刷予約をするための印刷予約ファイルを生成する生成手段と、前記印刷予約ファイルを記憶するメモリと、前記外部機器が印刷装置である場合であってユーザが画像の印刷を指示した場合に、前記電池の残量が第１の所定値以下であれば、前記印刷予約ファイルを前記メモリに記憶させると共に、前記電池への充電が開始された後に省電力制御を行い、前記電池の残量が第２の所定値より大きくなった場合には、前記省電力制御を解除すると共に、前記メモリが記憶する前記印刷予約ファイルに基づいて前記外部機器を制御する制御手段とを有する。
【０００８】
本発明に係る制御方法は、上記目的を達成するために、外部機器から電力を受電する受電手段と、前記外部機器と通信を行う通信手段と、前記受電手段から得られた電力を用いて電池の充電を行う充電手段と、前記電池の残量を検出する残量検出手段と、画像の印刷予約をするための印刷予約ファイルを生成する生成手段と、前記印刷予約ファイルを記憶するメモリとを有する電子機器の制御方法であって、前記外部機器が印刷装置である場合であってユーザが画像の印刷を指示した場合に、前記電池の残量が第１の所定値以下であれば、前記印刷予約ファイルを前記メモリに記憶させると共に、前記電池への充電が開始された後に省電力制御を行い、前記電池の残量が第２の所定値より大きくなった場合には、前記省電力制御を解除すると共に、前記メモリが記憶する前記印刷予約ファイルに基づいて前記外部機器を制御する。
【０００９】
本発明に係るプログラムは、上記目的を達成するために、コンピュータを、外部機器から電力を受電する受電手段と、前記外部機器と通信を行う通信手段と、前記受電手段から得られた電力を用いて電池の充電を行う充電手段と、前記電池の残量を検出する残量検出手段と、画像の印刷予約をするための印刷予約ファイルを生成する生成手段と、前記印刷予約ファイルを記憶するメモリと、前記外部機器が印刷装置である場合であってユーザが画像の印刷を指示した場合に、前記電池の残量が第１の所定値以下であれば、前記印刷予約ファイルを前記メモリに記憶させると共に、前記電池への充電が開始された後に省電力制御を行い、前記電池の残量が第２の所定値より大きくなった場合には、前記省電力制御を解除すると共に、前記メモリが記憶する前記印刷予約ファイルに基づいて前記外部機器を制御する制御手段として機能させるためのプログラムである。
【発明の効果】
【００１０】
本発明によれば、印刷中に電子機器の電池残量がなくなり、印刷処理が継続できなくなることを防止することができる。さらに本発明によれば、電池残量が少ない場合には電池の充電を優先させ、電池が所定量充電された場合には印刷処理の実行が可能となる。
【図面の簡単な説明】
【００１１】
【図１】実施形態１および他の実施形態における電子機器１００の構成要素を説明するためのブロック図である。
【図２】電子機器１００の動作例を説明するためのフローチャートである。
【図３】実施形態１における第１の所定値および第２の所定値の計算方法を説明するための図である。
【図４】実施形態２における第１の所定値および第２の所定値の計算方法を説明するための図である。
【発明を実施するための形態】
【００１２】
以下、図面を参照して本発明の実施形態を説明する。ただし、本発明は以下の実施形態に限定されるものではない。
【００１３】
［実施形態１］
図１は、実施形態１および他の実施形態における電子機器１００の構成要素を説明するためのブロック図である。
【００１４】
電子機器１００は、図１に示すように、ＣＰＵ（ｃｅｎｔｒａｌ  ｐｒｏｃｅｓｓｉｎｇ  ｕｎｉｔ）１０１、メモリ１０２、不揮発性メモリ１０３、画像処理部１０４、表示部１０５および操作部１０６を有する。これらの構成要素は、内部バス１５０に接続されている。電子機器１００はさらに、図１に示すように、記録媒体Ｉ／Ｆ１０７、受電部１０９、通信部１１０、充放電部１１１および残量検出部１１３を有する。これらの構成要素も、内部バス１５０に接続されている。内部バス１５０に接続される各構成要素は、内部バス１５０を介して互いにデータのやりとりを行うことができるようにされている。また、内部バス１５０に接続される各構成要素は、充放電部１１１から得られた電力を、必要に応じて内部バス１５０を介して得ることができる。
【００１５】
メモリ１０２は、例えばＲＡＭ（半導体素子を利用した揮発性のメモリなど）からなる。ＣＰＵ１０１は、例えば不揮発性メモリ１０３に格納されるプログラムに従い、メモリ１０２をワークメモリとして用いて、電子機器１００の各構成要素を制御する。不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００１６】
画像処理部１０４は、ＣＰＵ１０１の制御に基づいて、不揮発性メモリ１０３や記録媒体１０８に格納された画像データなどに対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。画像処理部１０４は特定の画像処理を施すための専用の回路ブロックで構成してもよい。また、画像処理の種別によっては画像処理部１０４を用いずにＣＰＵ１０１がプログラムに従って画像処理を施すことも可能である。
【００１７】
表示部１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、プログラムに従い表示制御信号を生成し、表示部１０５に表示するための画像信号を生成して表示部１０５に出力するように電子機器１００の各構成要素を制御する。表示部１０５は出力された画像信号に基づいて画像を表示する。なお、電子機器１００が有する構成としては表示部１０５に表示させるための画像信号を出力するためのインターフェースまでとし、表示部１０５は外付けのモニタ（テレビなど）で構成してもよい。
【００１８】
操作部１０６は、キーボードなどの文字情報入力デバイスや、マウスやタッチパネルといったポインティングデバイス、ボタン、ダイヤル、ジョイスティック、タッチセンサ、タッチパッドなどを含む、ユーザ操作を受け付けるための入力デバイスである。なお、タッチパネルは、表示部１０５に重ね合わせて平面的に構成され、接触された位置に応じた座標情報が出力されるようにした入力デバイスである。
【００１９】
記憶媒体Ｉ／Ｆ１０７は、メモリカード、ＣＤまたはＤＶＤなどの記録媒体１０８が接続可能とされ、ＣＰＵ１０１の制御に基づき、接続された記録媒体１０８からのデータの読み出しや、記録媒体１０８に対するデータの書き込みを行う。
【００２０】
受電部１０９は、外部機器１１４と有線ケーブルや無線によって接続し、外部機器１１４から電力を受電するためのインターフェースである。通信部１１０は、外部機器１１４と通信して、ファイルやコマンドなどの各種データの送受信を行うためのインターフェースである。受電部１０９と通信部１１０は、実施形態１においては、ＵＳＢ（Ｕｎｉｖｅｒｓａｌ  Ｓｅｒｉａｌ  Ｂｕｓ）規格に準拠したインターフェースの一部とする。充放電部１１１は、電池１１２の充電および放電を制御する。充放電部１１１が電池１１２の放電を制御することにより、電子機器１００の動作に必要な電力が電子機器１００の各構成要素に供給される。さらに、充放電部１１１は、外部機器１１４から得られる電力に応じて、適宜電力制御する機能を有する。これは例えば、電子機器１００の消費電力よりも大きい電力が外部機器１１４から得られるのであれば、電子機器１００の動作に必要な電力を優先して各構成要素に供給し、余剰電力を電池１１２の充電に回す制御機能である。また、逆に電子機器１００の消費電力よりも外部機器１１４から得られる電力が小さいのであれば、電池１１２からの電力も合わせて電子機器１００を動作させる制御機能でもある。充放電部１１１は、ＣＰＵ１０１からの指示を受けて電力制御することもできるが、自身が独立して電力制御可能な自律制御も可能である。また、後述する電池残量検出部から電池残量を取得する機能も有する。電池１１２は、リチウムイオン二次電池などの充放電可能な電池である。残量検出部１１３は、電池１１２から電圧値などを取得し、電池残量を計算する。
【００２１】
実施形態１および他の実施形態では、外部機器１０８、記録媒体１１２および電池１１２が電子機器１００から取り外し可能である例を説明する。ただし、記録媒体１１２および電池１１２は、電子機器１００から取り外し可能なものから電子機器１００に内蔵されたものに変更してもよい。
【００２２】
次に、図２のフローチャートを参照して、電子機器１００の動作例を説明する。
【００２３】
図２において、ユーザにより外部機器１１４が接続されると（ステップＳ２００）、ＣＰＵ１０１が通信部１１０を制御して外部機器１１４と通信し、外部機器１１４の種別を判定する（ステップＳ２０１）。接続機器種別の判定方法としては、ＵＳＢ規格、ＰＴＰ（Ｐｉｃｔｕｒｅ  Ｔｒａｎｓｆｅｒ  Ｐｒｏｔｏｃｏｌ）規格で定められた接続機器に関連する情報を用いて行う。これによって判定可能な情報としては、パーソナルコンピュータ（以降、ＰＣと表記）、ＵＳＢ充電器、プリンタなどの外部機器１１４の機能に応じた種別の他、電力の供給が可能か否か、また、電力の供給が可能であればその能力なども判定可能である。電力に関連する情報に関しては、ＵＳＢ  Ｔｙｐｅ−Ｃ規格において新たに追加されたＣＣ（Ｃｏｎｆｉｇｕｒａｒｉｏｎ  Ｃｈａｎｎｅｌ）端子を用いて取得することが可能である。
【００２４】
ステップＳ２０２において、ステップＳ２０１での外部機器１１４の種別判定結果から、電池１１２の充電が可能か否かを判定する。充電が可能か否かは、例えば、外部機器１１４が電力の供給が可能か否かで判定する。充電が可能な場合（ステップＳ２０２でＹＥＳ）、ＣＰＵ１０１は、受電部１０９および充放電部１１１を制御し、外部機器１１４から電力を受電、受電した電力を電池１１２へ供給し、電池１１２の充電を開始する（ステップＳ２０３）。
【００２５】
ステップＳ２０５において、外部機器１１４がプリンタか否かを判定する。ここでの判定も、ステップＳ２０１での判定結果を用いて行う。外部機器１１４がプリンタであれば（ステップＳ２０５でＹＥＳ）、ステップＳ２０６でユーザが印刷ジョブを作成するまで待機する。印刷ジョブの作成は、表示部１０５に画像、印刷設定変更画面を表示し、ユーザが表示を確認しながら、操作部１０６を操作し、印刷する画像とその画像をどう印刷するか（レイアウトや印刷枚数など）を指定する。ユーザによる印刷ジョブ作成が完了したら（ステップＳ２０６でＹＥＳ）、ＣＰＵ１０１は、残量検出部１１３を制御し、電池１１２の残量を取得する（ステップＳ２０７）。実施形態１では、電池残量は電池の電圧値で判定する。取得した電池残量を、ステップＳ２０８で第１の所定値と比較する。
【００２６】
ここで、図３を参照して、第１の所定値の計算方法を説明する。図３は電子機器１００で印刷処理を実行している際の電池１１２の電圧降下特性で、縦軸は電池１１２の電圧値、横軸は時間を表している。図３において、３００は１枚の印刷処理を実行する毎に降下する電圧量、３０１は電子機器１００の動作に最低限必要な電圧値を表している。つまり、電池１１２の電圧が３０１に達すると、ＣＰＵ１０１は電子機器１００の動作が継続不可と判定し、必要に応じてバス１０５に接続された各構成要素の動作の停止処理を実行し、電子機器１００の動作を停止させる（いわゆるシャットダウン処理）。例として、ユーザが作成した印刷ジョブにおける総印刷枚数が３枚であった場合、第１の所定値は、３０２で示す電圧値とする。つまり、第１の所定値は総印刷枚数に応じて変更し、総印刷枚数が２枚の場合には３０３で示す電圧値となる。こうして計算した第１の所定値と、ステップＳ２０７で取得した電池１１２の電圧値とを比較する。比較した結果、電池電圧値が第１の所定値以下の場合（ステップＳ２０８でＹＥＳ）、印刷処理が実行できる電池残量がないと判定し、記録媒体１０８に印刷予約ファイルを記録する（ステップＳ２０９）。ここで記録する印刷予約ファイルは、ＤＰＯＦ（Ｄｉｇｉｔａｌ  Ｐｒｉｎｔ  Ｏｒｄｅｒ  Ｆｏｒｍａｔ）規格における、ＡＵＴＰＲＩＮＴ．ＭＲＫファイルとする。電池電圧値が第１の所定値よりも大きければ（ステップＳ２０８でＮＯ）、印刷処理が実行できるだけの電池残量があると判定し、ステップＳ２１０でプリンタに印刷ジョブを送信、印刷処理を実行する。
【００２７】
ステップＳ２０９の実行後は、電池１１２への充電を優先し、充電時間を短縮するために省電力制御を行う（ステップＳ２１１）。ただし、省電力制御を行う前に、事前に印刷ジョブの印刷枚数から印刷処理が実行可能な電圧値をＣＰＵ１０１が計算し、第２の所定値として充放電部１１１に通知しておく。ここで通知される第２の所定値は、総印刷枚数が３枚であれば３０２、２枚であれば３０３となる。ステップＳ２１１で行う具体的な省電力制御としては、電池１１２の充電と電池１１２の残量検出に必要な受電部１０９、充放電部１１１、残量検出部１１３以外の動作を停止することなどが考えられる。これにより、その他の各構成要素の動作に必要な電力を電池１１２への充電に回せるため、充電時間が短縮できる。
【００２８】
ステップＳ２１１における省電力制御開始後は、充放電部１１１が定期的に残量検出部１１３から電池１１２の電圧を取得し（ステップＳ２１２）、事前にＣＰＵ１０１から通知された第２の所定値と比較を行う（ステップＳ２１３）。比較の結果、電池１１２の電圧が第２の所定値よりも大きくなった場合（ステップＳ２１３でＹＥＳ）、省電力制御を解除し、充放電部１１１が再度電子機器１００内の各構成要素に電力供給を開始する（ステップＳ２１４）。
【００２９】
充放電部１１１から電力供給が開始され、再度動作を開始したＣＰＵ１０１は、接続されている外部機器１１４の種別判定処理を実行する（ステップＳ２１５）。この処理は先に説明したステップＳ２０１と同じ処理で、再度実行するのはステップＳ２０１で実行した接続機器判定結果を例えばメモリ１０２に記憶していた場合、ステップＳ２１１で動作を停止してしまうため、結果が消去されてしまっているためである。
【００３０】
ステップＳ２１５での判定結果がプリンタであった場合（ステップＳ２１６でＹＥＳ）、ＣＰＵ１０１は記録媒体１０８に印刷予約ファイルの有無を確認する（ステップＳ２１８）。印刷予約ファイルがあった場合（ステップＳ２１８でＹＥＳ）、印刷予約ファイルに記載された印刷設定および画像ファイルをプリンタに送信する（ステップＳ２１９）。印刷予約ファイルがない場合（ステップＳ２１８でＮＯ）、ステップＳ２０６へ戻り、ユーザが印刷ジョブを作成するまで待機する。なお、ステップＳ２０５およびＳ２１６で外部機器１１４がプリンタではないと判定された場合は（ステップＳ２０５およびＳ２１６でＮＯ）、外部機器１１４の種別に応じた専用のモードに遷移する。例えば、外部機器１１４がＰＣの場合には不揮発性メモリ１０３や記録媒体１０８内に記録されている画像をＰＣへ転送するモードなどが考えられる。
【００３１】
以上説明したように、実施形態１の電子機器１００によれば、電池１１２の残量が少ない場合には、電池１１２の充電を優先し、電池１１２が充電されて印刷が可能な状態になった場合に、自動で印刷処理を実行することができる。
【００３２】
［実施形態２］
次に、実施形態１の変形例である実施形態２を説明する。
【００３３】
図３で示した電池１１２の電圧降下特性は、説明を簡単にするために直線的に変化するように示しているが、実際には図４の４００に示したように、曲線的に変化するのが一般的である。図４は、図３と同様、縦軸が電池１１２の電圧、横軸が時間を表している。また、４０１は図３の３０１と同じく、電子機器１００の動作に最低限必要な電圧値を表している。図４で示したように、その時点での電池１１２の電圧値によって、電圧降下の度合いが変わるような場合には、電圧値に応じていくつかに分割し、それを直線に近似して第１の所定値および第２の所定値を計算する。例えば、図４の４０２に示した点の部分で２つに分割し、４０３および４０４の点線に示したように直線で近似する。そして、電圧降下が小さい４０３の期間に対する１枚の印刷で効果する電圧量を４０７、電圧降下が大きい４０４の期間に対する１枚の印刷で効果する電圧量を４０８として、第１の所定値および第２の所定値を計算する。図４の例においては、印刷枚数が１枚の場合は４０６、２枚の場合は４０２、３枚の場合は４０５が第１の所定値および第２の所定値となる。
【００３４】
なお、図４では、説明を簡単にするために、２分割して直線近似する方法を示しているが、当然、精度を高めるためにより多くの分割数にしてもよい。
【００３５】
また、電池１１２の種別（リチウムイオン電池やニッケル水素電池など）の差による特性差や、電子機器１００の消費電力によっても、電圧降下特性は異なるため、第１の所定値および第２の所定値はそれらを考慮して設定する。
【００３６】
［実施形態３］
次に、実施形態１または２の変形例である実施形態３を説明する。
【００３７】
実施形態１および２では、第２の所定値には印刷ジョブ中の総印刷枚数から印刷処理が完了できるだけの電池電圧を計算して用いていたが、その電池電圧の代わりに、電池１１２が満充電状態である場合の電池電圧を用いてもよい。
【００３８】
［実施形態４］
次に、実施形態１、２または３の変形例である実施形態４を説明する。
【００３９】
外部機器１１４がプリンタであって、外部機器１１４から受電可能な電力が電子機器１００で行う印刷予約された画像の印刷に必要な電力以上であれば、電池１１２の残量が第１の所定値以下であっても、外部機器１１４に印刷ジョブを送信してもよい。これにより、電子機器１００は、印刷予約された画像の印刷を外部機器１１４に実行させることができる。
【００４０】
［実施形態５］
次に、実施形態１、２、３または４の変形例である実施形態５を説明する。
【００４１】
事前にユーザが操作部１０６を操作することにより、電子機器１００のユーザ設定を変更可能な場合、図２のステップＳ２１１の省電力制御は、電子機器１００のユーザ設定に基づいて実行するか否かを決定してもよい。ステップＳ２１９の印刷処理の実行についても同様に、電子機器１００のユーザ設定に基づいて実行するか否かを決定してもよい。
【００４２】
［実施形態６］
上述の実施形態１〜５では、電力受電およびデータ通信の実行に、ＵＳＢケーブルを用いているが、その他のケーブルを用いて実施するようにしてもよい。また、有線接続ではなく、これらを無線接続によって行うようにしてもよい。例えば、受電方法に関しては、Ｑｉ規格に代表されるような無線受電方式、データ通信方法に関しては、Ｗｉ−Ｆｉ規格、Ｂｌｕｅｔｏｏｔｈ（登録商標）規格、ＮＦＣ規格に代表されるような無線通信方式を採用してもよい。
【００４３】
上述の実施形態１〜５では、ＤＰＯＦ規格のＡＵＴＰＲＩＮＴ．ＭＲＫファイルを用いるようにしているが、その他の形式の印刷予約ファイルを用いてもよい。
【００４４】
［実施形態７］
実施形態１〜６で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態７では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態７では、コンピュータＸを制御するためのプログラムであって、実施形態１〜６で説明した様々な機能、処理または方法を実現するためのプログラムを「プログラムＹ」と呼ぶ。
【００４５】
実施形態１〜６で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態７におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態７におけるコンピュータ読み取り可能な記憶媒体は、ｎｏｎ−ｔｒａｎｓｉｔｏｒｙな記憶媒体である。
【００４６】
なお、本発明の実施形態は上述の実施形態に限定されるものではない。発明の要旨を逸脱しない範囲で変更または修正された上述の実施形態も本発明の実施形態に含まれる。
【符号の説明】
【００４７】
１００  電子機器
１０１  ＣＰＵ
１０２  メモリ
１０３  不揮発性メモリ
１０４  画像処理部
１０５  表示部
１０６  操作部
１０７  記録媒体Ｉ／Ｆ
１０８  記録媒体
１０９  受電部
１１０  通信部
１１１  充放電部
１１２  電池
１１３  電池残量検出部
１１４  外部機器
１５０  バス
【図１】
2018196224.tif 000003
【図２】
2018196224.tif 000004
【図３】
2018196224.tif 000005
【図４】
2018196224.tif 000006